(57)【要約】      （修正有）【課題】  収納ケースの側面部又は正面部を開閉して密閉する構成にして、その側方から衣服を収納できるようにすることで、衣服をハンガーに掛けたまま縦方向に狭い洋服ダンスや押入れ内にも収容できるようにし、そして出し入れも容易にすることであり、また一体成型して部品点数を極力少なくすることで、気密性の高い、防湿、防虫、防塵効果の高い収納ケースを提供すること。【解決手段】  収納ケースの側面部又は正面部を開閉して側方から衣服を収納する構成にし、また収納ケースの本体を一体成型化することで、完成精度が高く気密性の高い構成にしている。【選択図】図８
2006143219.tif 000002
【特許請求の範囲】
【請求項１】
ハンガーに掛ける衣服を収納する収納ケースにおいて、収納ケースの本体を合成樹脂で縦長体に形成し、該収納ケースの上内部に少なくとも１つの掛止部を設け、該収納ケースの側面部又は正面部の端部に収納ケースの本体と接合するヒンジ部を設け、もう一方の端部と収納ケースの本体とが互いに係止する係止具を設け、収納ケースの本体内に衣服を側面部又は正面部の側方からその開閉操作で収納し、前記係止具で収納ケースの本体を閉扉することで密閉した収納状態にするスーツ収納ケース。
【請求項２】
ハンガーに掛ける衣服を収納する収納ケースにおいて、収納ケースの本体を合成樹脂で縦長体に形成し、該収納ケースの上内部に少なくとも１つの掛止部を設け、該収納ケースの側面部又は正面部の端部に収納ケースの本体と接合するヒンジ部を設け、もう一方の端部と収納ケースの本体とが互いに係止する引掛部を設け、収納ケースの本体内に衣服を側面部又は正面部の側方からその開閉操作で収納し、前記引掛部で収納ケースの本体を閉扉することで密閉した収納状態にするスーツ収納ケース。
【請求項３】
ハンガーに掛ける衣服を収納する収納ケースにおいて、収納ケースの本体を合成樹脂で縦長体に形成し、該収納ケースの上内部に少なくとも１つの掛止部を設け、該収納ケースの本体の周端部と、側面部又は正面部の周縁部とが互いに係合する嵌合部を設け、収納ケースの本体内に衣服を側面部又は正面部の側方からその開閉操作で収納し、前記嵌合部で収納ケースの本体を閉塞することで密閉した収納状態にするスーツ収納ケース。
【請求項４】
ハンガーに掛ける衣服を収納する収納ケースにおいて、収納ケースの本体を合成樹脂で縦長体に形成し、該収納ケースの上内部に少なくとも１つの掛止部を設け、該収納ケースの本体の両端部と側面部又は正面部の両縁部とが互いに係止する係止具を設け、収納ケースの本体に衣服を側面部又は正面部の側方からその開閉操作で収納し、前記係止具で収納ケースの本体を閉塞することで密閉した収納状態にするスーツ収納ケース。
【請求項５】
ハンガーに掛ける衣服を収納する収納ケースにおいて、収納ケースの本体を合成樹脂で縦長体に形成し、該収納ケースの上内部に少なくとも１つの掛止部を設け、該収納ケースの本体の両端部と側面部又は正面部の両縁部とが互いに係止する引掛部を設け、収納ケースの本体に衣服を側面部又は正面部の側方からその開閉操作で収納し、前記引掛部で収納ケースの本体を閉塞することで密閉した収納状態にするスーツ収納ケース。
【請求項６】
前記側面部において、両方の側面部に互いに係着する係着具又は互いに連結し合う連結部を設けた請求項１〜５のいずれか1項に記載のスーツ収納ケース。
【発明の詳細な説明】
【技術分野】
【０００１】
本発明はハンガーに掛けるスーツ、ブレザー、ジャケット、衣装等を収納するスーツ収納ケースに関する。
【背景技術】
【０００２】
従来、図１１に示すスーツ収納カバーに納めたスーツや、高価な衣装を洋服ダンスや押入れに収納してる時、衣類を虫に食われて台無しにしてしまうことがある。そのため防虫剤を入れておくが、防虫剤にも有効期限があり、うっかり期限切れにしておくと、防虫剤の効力が無くなって虫に食われてしまうケースがある。そのため大事なスーツや高価な衣装を洋服ダンスや押入れに収納しておきながら、常に虫に食われてしまわないか不安がある。
【０００３】
この不安を解消するものとして、合成樹脂でなるケース本体の上に蓋体を被せて密閉状態に収納するものがある。然しながらこの収納ケースでは、ハンガーに掛けるスーツ、ブレザー、ジャケット、衣装等を収納すると、折り畳まれて型崩れしたり、しわになったりするため、本来ハンガーに掛けて収納する衣服は、収納できない欠点があった。また収納ケースを数段重ねて収納した場合、下段にある収納ケースに衣服を収納する場合は、その段より上にある収納ケースを全て降ろして収納しなければならず手間がかかった。
【０００４】
そこでこの欠点に鑑みて、衣服をハンガーに掛けたままケース内に収納するものとして、例えば実用新案登録第３０００１９３号公報や、実用新案登録第３０１２９０５号公報が提案されている。然しながら一般の家庭で衣服を収納する場所は、洋服ダンスや押入れの中が一般的であり、いずれの提案の構成も洋服ダンスや押入れ内に収納した場合、前記提案ではフード体を開けて衣類を上方に持ち上げて出し入れするスペースは実際には無く、洋服ダンスや押入れ内でハンガーに掛けた衣服を収納するのに必要なスペースは、少なくともケース本体＋スーツの縦長の長さ分が縦方向に必要であり、従って提案のケースを使用する場合は、床の上や畳の上に置くなど限られてくる。またその構成にあっては、ある程度衣服が収納されてくると、既に収納されている衣服が邪魔になり、後からハンガーに掛けた状態の衣服を収納しにくい上に、収納するハンガーに掛けた衣服の下部が曲がったり、捲かれた状態で収納されてしまい、その衣服にしわや型崩れが起きる可能性がある。また後記の提案の構成にあっては、蓋体を上方に持ち上げて衣服を取り出すため、やはり狭い洋服ダンスや押入れ内に置いて収納することはできない。また実際にハンガーに掛けた衣服を、人が立ったまま洋服ダンス内に収納する際の程よい高さは、丁度胸のあたりであり、いずれの提案の構成も操作性が良くなかった。
【０００５】
また収納ケースの側方から衣服を収納するようにしたものとして、実用新案公開平５−６３３４１号公報、実用新案公開平７−３３１７２号公報が提案されている。それでその両公報の構成においては、ケース本体をシート及びビニールで変形自在に構成しており、しかも気密性の開閉ファスナーは実際には存在せず、そのケースのシートが撓めば当然内外での空気の移動があり、さらにケース内と外気での気温差によっても内外との空気移動が起きるため、実際には密閉して防湿できる構成ではなかった。（注：開閉ファスナーとして、ビニールの2面の両端部を互いに接合して、その両端部を開閉するファスナーは存在するが、提案の公報の図の構成ではそのファスナーを実施できない。またそのファスナーでも終点部分でやはりわずかに隙間ができてしまうため、完全な密閉はできない。）また両構成もケースの正面部又はケースの側面部の一部域をファスナーで開く構成であり、その構成では十分な開口ができないため、その開口部分からは衣服を収納しにくい。さらに両構成もケース本体とは別体のハンガー部を設けてるため、部品点数も多く製作が困難な上に、製作コストも高くなってしまう。
【０００６】
【特許文献１】実用新案登録第３０００１９３号
【特許文献２】実用新案登録第３０１２９０５号
【特許文献３】実用新案公開平５−６３３４１号
【特許文献４】実用新案公開平７−３３１７２号
【発明の開示】
【発明が解決しようとする課題】
【０００７】
本発明は、前述の問題に鑑みてなされたもので、収納ケースの側面部又は正面部を開閉して密閉する構成にして、その側方から衣服を収納できるようにすることで、衣服をハンガーに掛けたまま縦方向に狭い洋服ダンスや押入れ内でも収容できるようにし、そしてその実際の出し入れも容易にすることであり、また一体成型して部品点数を極力少なくすることで、気密性の高い、防湿、防虫、防塵効果の高い収納ケースを提供することである。
【課題を解決するための手段】
【０００８】
前記課題を解決するために、本発明は収納ケースの側面部又は正面部を開閉して側方から衣服を収納するように構成にしており、また収納ケースの本体を一体成型できるところは一体成型し、完成精度が高く気密性の高い構成にしている。
【発明の効果】
【０００９】
本発明のスーツ収納ケースの構成は、収納ケースの開口部分及びケース内のスペースを十分に広く確保できるため。衣服を収納し易く、また収納時衣服どうしが干渉して折れたり、曲がったり、捲かれたりすることがない。またケースを透明にすることで、そのままケースを開けなくても、ケース内面が合成樹脂の光沢で光を反射拡散するため、内部が明るく見易く、ダークスーツ等でもその色や柄を容易に外側から確認できる。また気密性が非常に高いため、防湿、防虫、防塵効果の高い保存状態を維持して継続できる。また防湿剤や防虫剤を収納ケース内に入れておけば、その効能も従来よりずっと継続して維持できる。
【実施例】
【００１０】
本発明を図面を基に説明する。
【００１１】
図1は、本発明の１実施例の構成を示したものである。本発明のスーツ収納ケース１を合成樹脂のポリプロピレン材で、高さ１１０ｃｍ、幅５５ｃｍ、厚さ６〜７ｃｍ程度の縦長体に形成し、本実施例ではスーツ収納ケース１を構成する収納ケース本体２を、一体成型した収納ケース本体２Ａで構成している。収納ケース本体２Ａ内の上部に、手前に突出する棒状の掛止部２ｇを形成し、収納ケース本体２Ａの側面には、図１（ｂ）に示すように係止具留め部２ｆ、２ｆを形成し、その両穴に係止具５の１つとして、バックル５をその両端部に形成した嵌入部５ａ，５ａを嵌入して固定する。これにより係止具５のバックル５は、係止具留め部２ｆ、２ｆを中心に回動することができる。収納ケース本体２Ａのもう一方の側面には、一体成型したヒンジ部２ｃを形成し、そのヒンジ部２ｃの部位で同様に一体成型した側面部３Ａを折り曲げて開閉する構成になっている。
【００１２】
ポリプロピレンは特有の「ヒンジ効果」を持っているため、ヒンジ部２ｃを何回も折り曲げて開閉することができる。特にアイソタクティック・ポリプロピレンでヒンジ部２ｃを形成すれば１００万回以上曲げても切断しないで実施できる。
【００１３】
収納ケース本体２Ａの開口の周端部には、図１（ｄ）に示す凸部２ａを形成しており、側面部３Ａの周縁部に形成した凹部３ａと閉扉することで、互いに嵌合する構成になっている。この凸部２ａと凹部３ａとが互いにぴったり嵌合することで、外気との空気の流れや虫が侵入してくるのを完全に遮断することができる。側面部３Ａには強度をもたせるために、適当にリブ３ｄを形成している。このリブ３ｄは凸形状であってもいいし、溝形状であってもよい。また収納ケース本体２Ａにも適当にリブを設けて構成してもよい。
【００１４】
図１（ｃ）は、係止具５の他の実施例の構成を示したものである。収納ケース本体２Ａとヒンジ部２ｃと係止具５とを一体成型して構成したもので、係止具５のバックル５をヒンジ部２ｃの部位で折り曲げて開閉することができ、図１（ｂ）に示した係止具５と同様に実施することができる。
【００１５】
図１（ｅ）は、実際にスーツを収納ケース本体２Ａ内に収納した後、側面部３Ａを閉めてバックル５で固定した状態を示したものである。バックル５に形成した係止凸部５ｂと、図４に示す側面部３に形成した溝状の係止部３ｆとが互いに係止（嵌合）して、側面部３Ａがしっかりと固定される。図１（ｅ）では、側面部３Ａに形成したリブ３ｄを省略して図示してないが、リブ３ｄがあっても透明に形成した側面部３Ａの外側から、中に収納したスーツの色や柄を見て確認することができる。本実施例では、収納ケース本体２Ａ側に係止具留め部２ｆを形成し、側面部３Ａ側に係止具５と係止する係止部３ｆを形成しているが、収納ケース本体２側に係止具５と係止する係止部を形成し、側面部３側に係止具留め部又はヒンジ部を形成した係止具５を設けて構成してもよい。図１（ｅ）の状態では、防湿、防虫、防塵状態でスーツが保存され、例えば防虫剤の期限切れなどで虫に食われてしまうような心配がずっと無い。また本実施例のように、収納ケース本体２Ａと側面部３Ａ及び係止具５を一体成型することで、部品点数が少なくて済み、製作コストを安く安価に製作できる。また一体成型によって製作するため、完成精度を非常に高くでき、品質や信頼性も高くできる。スーツの出し入れは、側面部３Ａを開閉して側方の手前側から手を差し込んででき、操作がし易いと上に、スーツが撓んだり曲がったりすることが全く無い。
【００１６】
図２は、収納ケース本体２と側面部３とを別体にして構成した実施例を示すものである。収納ケース本体２の側面の手前側に嵌合ヒンジ部２ｄ、２ｄを形成し、側面部３の端部に嵌合ヒンジ部２ｄ、２ｄに形成した穴と嵌合する嵌入ヒンジ部３ｃ、３ｃを形成する。そして嵌合ヒンジ部２ｄ、２ｄに嵌入ヒンジ部３ｃ、３ｃをそれぞれ嵌入することで、側面部３を嵌合ヒンジ部２ｄ、２ｄを中心に回動して開閉することができる。そして側面部３を閉扉した状態で、図1（ｅ）に示した状態と同様に、完全に密閉した状態に保てる。本実施例では、収納ケース本体２内の上内面に掛止部２ｇをＵ字状に形成して構成している。
【００１７】
図３（ａ）は、収納ケース本体２と側面部３とが互いに嵌合して閉塞するように構成したものである。図３（ｂ）に示すように、収納ケース本体２の開口の周端部に先端部が膨らんだ形状の嵌合凸部２ｂを形成し、側面部３の周縁部に図のように先端部が狭くなった嵌合凹部３ｂを形成する。そして嵌合凹部３ｂを嵌合凸部２ｂに嵌めるように押し込むことで、嵌合凹部３ｂが矢印（⇒）の方向に撓んでぴったり嵌合させることができる。ここで側面部３の材質としては、適当に弾性を持ったポリエチレン材やエラストマー材で実施できる。（食材を保存する容器にも実施されている。）側面部３を閉塞した状態で、前実施例と同様に、防湿、防虫、防塵状態でスーツをずっと保存できる。
図３（ｃ）は、収納ケース本体２と側面部３とを４箇所に設けた係止具（バックル）５によって閉塞するようにした構成である。図１（ａ）に示した収納ケース本体２と側面部３の左側面側に設けた構成を、同様に右側面側に設けることで、収納ケース本体２と側面部３とを係止具５によってぴったりと閉塞した状態で固定できる。尚、本実施例では図３（ｄ）に示すように、収納ケース本体２の開口の周端部に形成する凸部２ａと、側面部３の周縁部に形成する凹部３ａを、図示した形状で構成している。この構成でも同様に実施可能である。
図３（ｅ）（ｆ）は、収納ケース本体２と側面部３とを閉塞して固定させる他の実施例の構成を示したものである。図３（ｅ）に示すように、側面部３の周縁部に形成した凹部３ａの先端の内側に、引掛部３ｉを図３（ｆ）に示すように、適当な幅で４箇所に形成して構成したものである。収納ケース本体２に側面部３を嵌めて押し込むと、引掛部３ｉが矢印（⇒）の方向に撓んだ後、図のように引かかって係止（ロック）するため、収納ケース本体２と側面部３とをぴったり閉塞して固定できる。そして側面部３を開ける時は、凹部３ａの先端部を矢印（⇒）の方向に引張ることで、引掛部３ｉの係止（ロック）が外れて側面部３を開くことができる。本実施例では引掛部を側面部３側に形成して設けたが、収納ケース本体２側に引掛部を形成して構成してもよい。
また本実施例の構成を、収納ケース本体２と側面部３の片方の側面側にヒンジ部を設けて、もう一方の側面側に引掛部を設けて構成し実施してもよい。
【００１８】
図４は、収納ケース本体２の上面にハンガー部２ｈを形成して構成したものである。図４（ａ）では、鉤状のハンガー部２ｈを形成しており、図４（ｂ）では、∩形状のハンガー部２ｈを形成している。この構成により、本発明のスーツ収納ケース１を洋服ダンスや押入れ内に置いて収容することもできるし、ハンガー部２ｈで掛けて吊るした状態に収容することもできる。またハンガー部２ｈを持って持ち運ぶことも可能である。尚、掛止部２ｇもハンガー部２ｈも収納ケース本体２と一体成型にして構成してもよいが、別体の掛止部２ｇやハンガー部２ｈをその部位に嵌合等によって設けて構成してもよい。
【００１９】
図５〜図９は、本発明のスーツ収納ケース１において、正面部４を開閉して前側方から衣服を収納できるようにした各実施例の構成を示したものである。
【００２０】
図５は、収納ケース本体２Ａと正面部４Ａとを一体成型し、ヒンジ部２ｃで正面部４Ａを開閉できるようにした構成を示す。本実施例の構成において、正面部４Ａを開くことで衣服を正面側の側方から出し入れでき、収納時は側面部３の端部に設けたバックル５、５を正面部４Ａの表側に形成した（図示しない）係止部と係止（嵌合）させることで、正面部４Ａを密閉状態に閉扉して固定できる。その状態で前実施例と同様に、防湿、防虫、防塵状態でずっと保存できる。またスーツ収納ケース１の向きを変えることなく、正面側の前側方から衣服を出し入れでき、操作性も良くとても効率良く収納できる。
【００２１】
図６は、本発明のスーツ収納ケース１の他の製作方法を示したものである。図６（ａ）において、収納ケース本体２Ａと正面部４Ａを一体成型し、収納ケース本体２Ａの側面側の４隅に嵌入凹部２ｉを各形成し、収納ケース本体２Ａとは別体の側面部３の４隅に、前記嵌入凹部２ｉに嵌入する嵌入凸部３ｅを形成する。そして別体の側面部３を収納ケース本体２Ａの外形に合せて押し込むことで、各嵌入凹部２ｉに嵌入凸部３ｅが嵌入されて、別体の側面部３をしっかりと固定できる。図５に示した構成を一体成型で製作することもできるが、図６に示した構成で実施することもできる。尚、図６（ｂ）に示すように、別体の側面部３の裏面に適当にリブ３ｄを形成して、強度を増すように構成している。
【００２２】
図７は、収納ケース本体２Ａに別体の正面部４を嵌合して、開閉するように構成した実施例を示したものである。図７（ａ）において、図３（ａ）で示した実施例の構成と同様にして、収納ケース本体２Ａの正面側の開口の周端部に形成した嵌合凸部２ｂと、別体の正面部４の周縁部に形成した嵌合凹部４ｂとを互いに嵌合させることで、別体の正面部４を収納ケース本体２Ａに密閉状態に閉塞でき、その状態で前実施例と同様に、防湿、防虫、防塵状態をずっと保てる。また前実施例の図３（ｃ）で示した構成と同様に、収納ケース本体２と別体の正面部４の両端部を係止具５で係止して固定し、閉塞するように構成してもよい。また図３（ｅ）（ｆ）で示した構成と同様に、収納ケース本体２と別体の正面部４を引掛部で係止（ロック）して固定し、閉塞するように構成してもよい。
また収納ケース本体２と正面部４の片方の側面側にヒンジ部を設けて、もう一方の側面側に引掛部を設けて構成し実施してもよい。
図７（ｂ）は、側面部３の適当な４箇所に凹段部３ｇを４箇所形成し、その凹段の面に係着具６としてマグネット６ａを貼着して設けたものである。そして図７（ｃ）に示すように、両側面部３，３の適所の数箇所にそれぞれ係着具６を設けることで、本発明のスーツ収納ケース１を２ケース以上洋服ダンスや押入れに収納して立てた際に、各ケースが互いに係着具６によって接合し合うため、例えば１ケースを開放中、他のケースが倒れてしまうようなことがない。尚、係着具６を磁力のあるマグネット６ａで構成し、そのマグネット６ａの露呈する面を、側面部３の面より若干内側にずらして設けることで、隣接するマグネット６ａどうしが適当な間隔を空けたままその磁力でもって保持でき、例えばくっつきすぎてケースどうしが離れにくいといったことが無くなる。係着具６においては、図示しない面ファスナー６ｂで実施してもよい。
【００２３】
図８は、側面部３の面に段差のある段部３ｈを形成し、その段面上に前実施例と同様の係止具留め部を形成し、その部位に嵌合して回動する係止具（バックル）５を設け、さらに正面部４Ａに前記段差と同一形状の切欠部４ｃを形成し、その係止具（バックル）５と係止する係止部を表側に形成して構成したものである。その構成で、係止具（バックル）５によって正面部４Ａを閉扉した際、係止具（バックル）５は側面部３の同一面上より内側に設けられているため、例えば２つのケースを隣接して並べて置いて収容した場合でも、２つのケースの側面間に隙間ができることがなく、ぴったりくっつけて収容できる。尚、正面部４Ａはその側端部に指を掛けて開閉してもよいが、その表側に指を掛ける把手を形成して構成してもよい。また収納ケース本体２の上面に、図４（ａ）（ｂ）で示したハンガー部２ｈを同様に形成して構成してもよい。同様にそのハンガー部２ｈで掛けて吊るして収容できるし、またそのハンガー部２ｈを持って運ぶこともできる。
【００２４】
図９は、本発明のスーツ収納ケース１において、収納ケース本体２内に３個の掛止部２ｇを形成して構成したものである。この構成によって、例えば家族内でひとりごと衣服を収納して管理することができ、それにより人の衣服による影響を受けることがない。掛止部２ｇ間には案内仕切板２ｅが形成してあり、各スーツが互いに干渉しないように収納できる。尚、掛止部２ｇ、２ｇは適当に２個、３個、４個・・・と形成してよく、また案内仕切板２ｅも各空間ごとに完全に仕切るように構成してもよい。
【００２５】
図１０は、本発明のスーツ収納ケース１において、収納ケース本体２内を完全に各空間ごとに区切って、各空間ごと開閉して密閉する正面部４・・・４を設けて構成したものである。この構成であれば、各空間ごとに独立して開閉して密閉でき、他の空間の影響を受けることが全く無い。尚、本実施例の構成のように、スーツ収納ケース１を一体的に形成して各空間を構成してもよいが、前実施例の各構成で、両側面部に互いに連結し合う連結部を形成して設け、各収納ケース本体２を機械的に連結して一体的に構成して実施してもよい。またスーツ収納ケース１内のスペースも、スーツカバーを２つ折りにして収納するスペースにして構成して実施してもよい。また本発明の構成を、ヒンジ部、係止具、引掛部を適当に組合せて実施してもよい。
【図面の簡単な説明】
【００２６】
【図１】（ａ）本発明の１実施例の斜視図（ｂ）（ｃ）本発明の１実施例の一部の斜視図（ｄ）本発明の１実施例の一部の断面図（ｅ）本発明の１実施例の正面図
【図２】本発明の１実施例の斜視図
【図３】（ａ）本発明の１実施例の斜視図（ｂ）本発明の１実施例の一部の断面図（ｃ）本発明の１実施例の正面図（ｄ）（ｅ）本発明の１実施例の一部の断面図（ｆ）本発明の１実施例の一部の側面図
【図４】（ａ）（ｂ）本発明の１実施例の斜視図
【図５】本発明の１実施例の斜視図
【図６】（ａ）本発明の１実施例の斜視図（ｂ）本発明の１実施例の一部の正面図
【図７】（ａ）（ｂ）本発明の１実施例の斜視図（ｃ）本発明の１実施例の一部の断面図
【図８】（ａ）（ｂ）本発明の１実施例の斜視図
【図９】本発明の１実施例の斜視図
【図１０】本発明の１実施例の斜視図
【図１１】従来のスーツ収納カバーの実装状態の正面図
【符号の説明】
【００２７】
１  ：  スーツ収納ケース
２  ：  収納ケース本体
２：２Ａ  ：  一体成型の収納ケース本体
２ａ  ：  凸部
２ｂ  ：  嵌合凸部
２ｃ  ：  ヒンジ部
２ｄ  ：  嵌合ヒンジ部
２ｅ  ：  案内仕切板
２ｆ  ：  係止具留め部
２ｇ  ：  掛止部
２ｈ  ：  ハンガー部
２ｉ  ：  嵌入凹部
３  ：  側面部
３：３Ａ  ：  一体成型の側面部
３ａ  ：  凹部
３ｂ  ：  嵌合凹部
３ｃ  ：  嵌入ヒンジ部
３ｄ  ：  リブ
３ｅ  ：  嵌入凸部
３ｆ  ：  係止部
３ｇ  ：  凹段部
３ｈ  ：  段部
３ｉ  ：  引掛部
４  ：  正面部
４：４Ａ  ：  一体成型の正面部
４ａ  ：  凹部
４ｂ  ：  嵌合凹部
４ｃ  ：  切欠部
４ｄ  ：  引掛部
５  ：  係止具
５ａ  ：  嵌入部
５ｂ  ：  係止凸部
６  ：  係着具
６ａ  ：  マグネット
６ｂ  ：  面ファスナー（登録商標：マジックテープ）
【図１】
2006143219.tif 000003
【図２】
2006143219.tif 000004
【図３】
2006143219.tif 000005
【図４】
2006143219.tif 000006
【図５】
2006143219.tif 000007
【図６】
2006143219.tif 000008
【図７】
2006143219.tif 000009
【図８】
2006143219.tif 000010
【図９】
2006143219.tif 000011
【図１０】
2006143219.tif 000012
【図１１】
2006143219.tif 000013